(57)【要約】【課題】Ｘ線照射部およびＸ線検出部のうち少なくとも一方を移動可能に支持する移動体を手動で移動させる際に、駆動部によるアシスト量を簡単な操作で変更させることが可能なＸ線撮影装置を提供する。【解決手段】このＸ線撮影装置１００は、被検体１２０にＸ線を照射するＸ線管１と、被検体１２０を透過したＸ線を検出するＸ線検出部２と、Ｘ線管１を移動可能に支持する移動体４と、移動体４を移動させるモータ３７と、移動体４の移動のための操作または移動体４の位置合わせのための操作を受け付ける操作ボタン４１の操作と、移動体４の現在位置および目的位置と、のうち少なくとも１つに基づいて、移動体４を手動で移動させる際のモータ３７によるアシスト量を変更する制御を行う制御部７と、を備える。【選択図】図１
2020103335.tif 000002
【特許請求の範囲】
【請求項１】
被検体にＸ線を照射するＸ線照射部と、
前記被検体を透過したＸ線を検出するＸ線検出部と、
前記Ｘ線照射部および前記Ｘ線検出部のうち少なくとも一方を移動可能に支持する移動体と、
前記移動体を移動させる駆動部と、
前記移動体の移動のための操作または前記移動体の位置合わせのための操作を受け付ける操作ボタンの操作と、前記移動体の現在位置および目的位置と、のうち少なくとも１つに基づいて、前記移動体を手動で移動させる際の前記駆動部によるアシスト量を変更する制御を行う制御部と、を備える、Ｘ線撮影装置。
【請求項２】
操作者による前記移動体を移動させるための操作力を検知する力検知部をさらに備え、
前記制御部は、前記力検知部により検知された操作力に応じて、前記移動体を手動で移動させる際の前記駆動部によるアシスト量を調整するとともに、前記操作ボタンの操作と、前記移動体の現在位置および目的位置と、のうち少なくとも１つに基づいても、アシスト量を調整する制御を行うように構成されている、請求項１に記載のＸ線撮影装置。
【請求項３】
前記移動体は、水平方向の２軸および上下方向の１軸に移動可能に構成されており、
前記操作ボタンは、前記移動体の移動のための操作を受け付ける第１操作ボタンと、第２操作ボタンとを含み、
前記第１操作ボタンは、水平方向の２軸および上下方向の１軸のうち、いずれかの１軸の移動のロックを解除するための操作を受け付け、
前記第２操作ボタンは、水平方向の２軸および上下方向の１軸のうち、２軸以上の移動のロックを解除するための操作を受け付け、
前記制御部は、前記第２操作ボタンの操作により２軸以上の移動のロックが解除された場合に、前記第１操作ボタンの操作により１軸の移動のロックが解除された場合よりも、前記移動体を手動で移動させる際の前記駆動部によるアシスト量を大きくする制御を行うように構成されている、請求項１または２に記載のＸ線撮影装置。
【請求項４】
前記Ｘ線照射部によるＸ線の照射範囲を示すガイドを照射するガイド照明をさらに備え、
前記操作ボタンは、前記移動体の位置合わせのための操作を受け付ける、前記ガイド照明のガイドの照射を点灯させるガイド照明ボタンを含み、
前記制御部は、前記ガイド照明ボタンの操作により前記ガイド照明が点灯された場合に、前記ガイド照明が点灯されていない場合よりも、前記移動体を手動で移動させる際の前記駆動部によるアシスト量を小さくする制御を行うように構成されている、請求項１〜３のいずれか１項に記載のＸ線撮影装置。
【請求項５】
前記制御部は、操作力に対するアシスト量の比であるアシスト係数を、２段階に切り替えて、アシスト量を変更する制御を行うように構成されている、請求項３または４に記載のＸ線撮影装置。
【請求項６】
前記制御部は、前記移動体の現在位置から目的位置までの距離に基づいて、前記移動体を手動で移動させる際の前記駆動部によるアシスト量を変更する制御を行うように構成されている、請求項１〜５のいずれか１項に記載のＸ線撮影装置。
【請求項７】
前記制御部は、目的位置から遠ざかる方向に前記移動体に力が加えられた場合に、目的位置に近づく方向に前記移動体に力が加えられた場合よりも、前記移動体を手動で移動させる際の前記駆動部によるアシスト量を小さくする制御を行うように構成されている、請求項１〜６のいずれか１項に記載のＸ線撮影装置。
【請求項８】
前記駆動部は、モータを含み、
前記制御部は、前記操作ボタンの操作と、前記移動体の現在位置および目的位置とのうち少なくとも１つに基づいて、前記移動体を手動で移動させる際の前記モータの駆動制御を変更して前記駆動部によるアシスト量を変更する制御を行うように構成されている、請求項１〜７のいずれか１項に記載のＸ線撮影装置。
【発明の詳細な説明】
【技術分野】
【０００１】
この発明は、Ｘ線撮影装置に関する。
【背景技術】
【０００２】
従来、Ｘ線撮影装置が知られている（たとえば、特許文献１参照）。
【０００３】
上記特許文献１には、被写体にＸ線を照射する放射線源と、被写体を透過したＸ線を検出する放射線検出手段と、放射線源を移動させるモータと、放射線源を手動で移動させる際にモータの駆動により放射線源の移動のアシストを行う制御部と、を備える放射線撮影装置（Ｘ線撮影装置）が知られている。この特許文献１の放射線撮影装置では、放射線源を手動で移動させる際に、放射線源の移動方向が繰り返し反転された場合に、モータによるアシスト量が小さくなるように構成されている。つまり、放射線源を手動で移動させる際に、移動当初は大きく素早く移動させるためにアシスト量が大きくされ、目的位置に近づくと位置を微調整するためにアシスト量が小さくされる。この際に、制御部は、放射線源の移動方向が繰り返し反転されたことに基づいて目的位置に近づいたことを判断している。
【先行技術文献】
【特許文献】
【０００４】
【特許文献１】特開２０１０−２２７３７６号公報
【発明の概要】
【発明が解決しようとする課題】
【０００５】
しかしながら、上記特許文献１の放射線撮影装置（Ｘ線撮影装置）では、放射線源を手動で移動させる際に、位置を微調整するためにモータによるアシスト量を小さくさせようとした場合に、放射線源の移動方向を繰り返し反転させて往復移動させる必要がある。このため、モータによるアシスト量を変化させる場合の操作が煩雑であるという問題点がある。
【０００６】
この発明は、上記のような課題を解決するためになされたものであり、この発明の１つの目的は、Ｘ線照射部およびＸ線検出部のうち少なくとも一方を移動可能に支持する移動体を手動で移動させる際に、駆動部によるアシスト量を簡単な操作で変更させることが可能なＸ線撮影装置を提供することである。
【課題を解決するための手段】
【０００７】
上記目的を達成するために、この発明の一の局面におけるＸ線撮影装置は、被検体にＸ線を照射するＸ線照射部と、被検体を透過したＸ線を検出するＸ線検出部と、Ｘ線照射部およびＸ線検出部のうち少なくとも一方を移動可能に支持する移動体と、移動体を移動させる駆動部と、移動体の移動のための操作または移動体の位置合わせのための操作を受け付ける操作ボタンの操作と、移動体の現在位置および目的位置と、のうち少なくとも１つに基づいて、移動体を手動で移動させる際の駆動部によるアシスト量を変更する制御を行う制御部と、を備える。
【０００８】
この発明の一の局面によるＸ線撮影装置では、上記のように、移動体の移動のための操作または移動体の位置合わせのための操作を受け付ける操作ボタンの操作と、移動体の現在位置および目的位置と、のうち少なくとも１つに基づいて、移動体を手動で移動させる際の駆動部によるアシスト量を変更する制御を行う制御部を設ける。これにより、操作ボタンの操作に基づいて移動体を手動で移動させる際の駆動部によるアシスト量を変更させる場合、操作ボタンの操作を行うだけで駆動部によるアシスト量を変更させることができる。また、移動体の現在位置および目的位置に基づいて移動体を手動で移動させる際の駆動部によるアシスト量を変更させる場合、たとえば、目的位置が現在位置に近づいた場合に、自動的に駆動部によるアシスト量を変更させることができる。これらの結果、Ｘ線照射部およびＸ線検出部のうち少なくとも一方を移動可能に支持する移動体を手動で移動させる際に、駆動部によるアシスト量を簡単な操作で変更させることができる。
【０００９】
上記一の局面によるＸ線撮影装置において、好ましくは、操作者による移動体を移動させるための操作力を検知する力検知部をさらに備え、制御部は、力検知部により検知された操作力に応じて、移動体を手動で移動させる際の駆動部によるアシスト量を調整するとともに、操作ボタンの操作と、移動体の現在位置および目的位置と、のうち少なくとも１つに基づいても、アシスト量を調整する制御を行うように構成されている。このように構成すれば、検知された操作力に応じてアシスト量を調整することにより、操作者が力を加えた量に応じてアシスト量を大きくすることができるので、移動体を手動で移動させる際の操作性を向上させることができる。また、操作ボタンの操作に基づいてアシスト量を調整することにより、操作ボタンの操作を行うだけでアシスト量を容易に変更させることができる。また、移動体の現在位置および目的位置に基づいてアシスト量を調整することにより、現在位置と目的位置との距離が大きく移動体を迅速に移動させたい場合に、アシスト量を大きくすることができるとともに、現在位置と目的位置との距離が小さくなり移動体を精度よく移動させたい場合に、アシスト量を小さくすることができる。
【００１０】
上記一の局面によるＸ線撮影装置において、好ましくは、移動体は、水平方向の２軸および上下方向の１軸に移動可能に構成されており、操作ボタンは、移動体の移動のための操作を受け付ける第１操作ボタンと、第２操作ボタンとを含み、第１操作ボタンは、水平方向の２軸および上下方向の１軸のうち、いずれかの１軸の移動のロックを解除するための操作を受け付け、第２操作ボタンは、水平方向の２軸および上下方向の１軸のうち、２軸以上の移動のロックを解除するための操作を受け付け、制御部は、第２操作ボタンの操作により２軸以上の移動のロックが解除された場合に、第１操作ボタンの操作により１軸の移動のロックが解除された場合よりも、移動体を手動で移動させる際の駆動部によるアシスト量を大きくする制御を行うように構成されている。このように構成すれば、第２操作ボタンの操作により２軸以上の移動のロックが解除されて、移動体を大きく移動させたい場合に、アシスト量を大きくすることができる。また、２軸以上の移動による調整後、第１操作ボタンの操作により１軸の移動のロックが解除されて、移動体の位置の微調整を行う場合に、アシスト量を小さくすることができる。
【００１１】
上記一の局面によるＸ線撮影装置において、好ましくは、Ｘ線照射部によるＸ線の照射範囲を示すガイドを照射するガイド照明をさらに備え、操作ボタンは、移動体の位置合わせのための操作を受け付ける、ガイド照明のガイドの照射を点灯させるガイド照明ボタンを含み、制御部は、ガイド照明ボタンの操作によりガイド照明が点灯された場合に、ガイド照明が点灯されていない場合よりも、移動体を手動で移動させる際の駆動部によるアシスト量を小さくする制御を行うように構成されている。このように構成すれば、ガイド照明ボタンの操作によりガイド照明が点灯されて、移動体の位置の微調整を行う場合に、アシスト量を小さくすることができるので、移動体を容易かつ精度よく移動させて微調整を行うことができる。
【００１２】
上記操作ボタンが第１操作ボタンおよび第２操作ボタンを含む構成、または、操作ボタンがガイド照明ボタンを含む構成において、好ましくは、制御部は、操作力に対するアシスト量の比であるアシスト係数を、２段階に切り替えて、アシスト量を変更する制御を行うように構成されている。このように構成すれば、２段階のアシスト比によりアシスト量を変更させることができるので、３段階以上に切り替える場合に比べて、制御部の処理負担を軽減することができる。
【００１３】
上記一の局面によるＸ線撮影装置において、好ましくは、制御部は、移動体の現在位置から目的位置までの距離に基づいて、移動体を手動で移動させる際の駆動部によるアシスト量を変更する制御を行うように構成されている。このように構成すれば、移動体の目的位置までの距離に基づいてアシスト量を変更することにより、現在位置と目的位置との距離が大きく移動体を迅速に移動させたい場合に、アシスト量を大きくすることができるとともに、現在位置と目的位置との距離が小さくなり移動体を精度よく移動させたい場合に、アシスト量を小さくすることができる。これにより、移動体を目的位置にスムーズに移動させることができる。
【００１４】
上記一の局面によるＸ線撮影装置において、好ましくは、制御部は、目的位置から遠ざかる方向に移動体に力が加えられた場合に、目的位置に近づく方向に移動体に力が加えられた場合よりも、移動体を手動で移動させる際の駆動部によるアシスト量を小さくする制御を行うように構成されている。このように構成すれば、目的位置から遠ざかる方向への移動体の移動を重くすることができるとともに、目的位置に近づく方向への移動体の移動を軽くすることができるので、移動体を目的位置に向けて誘導することができる。
【００１５】
上記一の局面によるＸ線撮影装置において、好ましくは、駆動部は、モータを含み、制御部は、操作ボタンの操作と、移動体の現在位置および目的位置とのうち少なくとも１つに基づいて、移動体を手動で移動させる際のモータの駆動制御を変更して駆動部によるアシスト量を変更する制御を行うように構成されている。このように構成すれば、モータの駆動制御を変更することにより、アシスト量を容易に変更することができる。
【発明の効果】
【００１６】
本発明によれば、上記のように、Ｘ線照射部およびＸ線検出部のうち少なくとも一方を移動可能に支持する移動体を手動で移動させる際に、駆動部によるアシスト量を簡単な操作で変更させることができる。
【図面の簡単な説明】
【００１７】
【図１】一実施形態によるＸ線撮影装置の全体構成を示した模式図である。
【図２】一実施形態によるＸ線撮影装置のブロック図である。
【図３】一実施形態によるＸ線撮影装置の移動体の正面図である。
【図４】一実施形態によるＸ線撮影装置の移動体を示した斜視図である。
【図５】一実施形態によるＸ線撮影装置の切替手段の一例を示したブロック図である。
【発明を実施するための形態】
【００１８】
以下、本発明を具体化した実施形態を図面に基づいて説明する。
【００１９】
（Ｘ線撮影装置の構成）
図１〜図５を参照して、本発明の一実施形態によるＸ線撮影装置１００の構成について説明する。
【００２０】
図１では、撮影室１１０に設置された天井懸垂型のＸ線撮影装置１００の例を示している。Ｘ線撮影装置１００は、Ｘ線管１と、Ｘ線検出部２と、保持機構３とを備えている。天井懸垂型のＸ線撮影装置１００では、撮影室１１０の天井に配置された保持機構３によって、Ｘ線管１を有する移動体４が天井から吊り下げるように保持される。移動体４は、保持機構３によって撮影室１１０内で移動可能に保持されている。なお、Ｘ線管１は、特許請求の範囲の「Ｘ線照射部」の一例である。
【００２１】
また、Ｘ線撮影装置１００は、医用Ｘ線撮影装置であり、撮影対象である被検体１２０（患者）をＸ線撮影するように構成されている。Ｘ線撮影装置１００は、被検体１２０を横たわらせた姿勢（臥位）で撮影を行うための撮影テーブル５と、被検体１２０を起立させた姿勢（立位）で撮影を行うための撮影スタンド６とを備えている。
【００２２】
Ｘ線管１は、被検体１２０にＸ線を照射するように構成されている。Ｘ線管１は、所定の電圧が印加されることにより、Ｘ線を照射するように構成されている。
【００２３】
撮影テーブル５および撮影スタンド６には、それぞれＸ線検出部２が移動可能に保持されている。Ｘ線検出部２は、たとえばフラットパネルディテクタ（ＦＰＤ）を含んでいる。Ｘ線検出部２は、被検体１２０を透過したＸ線を検出するように構成されている。保持機構３は、少なくとも、撮影テーブル５を用いた臥位での撮影位置（図１の実線参照）と、撮影スタンド６を用いた立位での撮影位置（図１の二点鎖線参照）との間で、移動体４を移動させることが可能である。
【００２４】
臥位の撮影では、移動体４が、撮影テーブル５のＸ線検出部２と上下方向に対向する位置に配置され、上下方向に対向するＸ線管１とＸ線検出部２との間で、撮影テーブル５上に横臥された被検体１２０が撮影される。立位の撮影では、移動体４が、撮影スタンド６のＸ線検出部２と水平方向に対向する位置に配置され、水平方向に対向するＸ線管１とＸ線検出部２との間で、撮影スタンド６の前に起立した被検体１２０が撮影される。また、Ｘ線撮影装置１００は、持ち運び可能なＸ線検出部２を撮影室１１０内の任意の位置に配置し、移動体４をＸ線検出部２と対向する位置に移動させることにより、任意の姿勢の被検体１２０を任意の方向から撮影可能な一般撮影（姿勢を特定しない撮影）を行うことが可能である。
【００２５】
また、Ｘ線撮影装置１００は、制御部７、入力装置８を備えている。図２に示すように、制御部７は、ＣＰＵ（Ｃｅｎｔｒａｌ  Ｐｒｏｃｅｓｓｉｎｇ  Ｕｎｉｔ）およびメモリを備えている。制御部７は、Ｘ線管１およびＸ線検出部２によるＸ線撮影の制御や、移動体４の移動に関する制御を行う。入力装置８は、Ｘ線撮影に関わる入力操作を受け付ける機能を有する。入力操作は、Ｘ線撮影の撮影条件設定や、Ｘ線照射の開始指示などである。
【００２６】
図１に示すように、移動体４は、Ｘ線管１を移動可能に支持している。具体的には、移動体４は、Ｘ線管１と、コリメータ１１とを含んでいる。Ｘ線管１は、図示しない電源から高電圧が印加されることによりＸ線を発生させる。コリメータ１１は、位置調整可能な複数の遮蔽板（コリメータリーフ）を有し、Ｘ線管１からのＸ線の一部を遮蔽することにより、Ｘ線の照射野を調整する機能を有する。また、移動体４には、把持部３５（図３参照）が設けられている。また、移動体４には、操作ボタン４１が設けられている。また、移動体４には、力検知部３８と、ガイド照明３９とが設けられている。
【００２７】
保持機構３は、移動体４を複数方向に移動可能に保持する移動機構３１を含んでいる。
【００２８】
移動機構３１により移動体４が移動できる複数方向は、互いに直交する水平および垂直の各並進方向を含むことができる。図４に示すように、鉛直（垂直）方向をＺ方向とし、水平方向で互いに直交する２方向をＸ方向、Ｙ方向とすると、各並進方向は、これらのＸ方向、Ｙ方向およびＺ方向のうち、１つまたは複数である。つまり、移動体４は、水平方向の２軸および上下方向の１軸に移動可能に構成されている。
【００２９】
また、移動機構３１により移動体４が移動できる複数方向は、互いに直交する水平軸回りおよび垂直軸回りの各回転方向を含むことができる。各回転方向は、鉛直（垂直）軸回りの回転方向、および、水平方向で互いに直交する２つの軸回りの回転方向のうち、１つまたは複数である。複数方向は、３つの並進方向（Ｘ方向、Ｙ方向およびＺ方向）と、上下方向（Ｚ方向）の回転軸線回りの回転方向（η方向）と、水平方向の回転軸線回りの回転方向（θ方向）との、合計５方向を含む。
【００３０】
移動機構３１は、図１に示すように、走行機構３２と、支柱３３と、回転保持部３４とを含む。走行機構３２は、撮影室１１０の天井に設けられている。走行機構３２は、支柱３３（移動体４）をＸ方向およびＹ方向に並進移動可能に支持する。
【００３１】
支柱３３は、移動体４を垂直方向へ並進移動可能に保持する。支柱３３は、走行機構３２に取り付けられたベース部３３１から吊り下がるように設けられ、Ｚ方向に伸縮可能である。これらの構成により、移動機構３１は、移動体４を３つの並進方向（Ｘ方向、Ｙ方向およびＺ方向）へ移動可能に保持する。
【００３２】
また、支柱３３の先端（下端）には、回転保持部３４が設けられている。支柱３３は、回転保持部３４を垂直軸（Ｚ軸）回りのη方向に回転移動可能に支持する。Ｚ軸は、支柱３３の中心軸線に一致する。回転保持部３４は、一端側が支柱３３に接続されると共に、他端側が支柱３３の半径方向（Ｒ軸方向）にオフセットした位置で上方に立ち上がる形状を有している。回転保持部３４は、上方に立ち上がる位置において移動体４を支持している。
【００３３】
また、回転保持部３４は、移動体４を水平軸（Ｒ軸）回りのθ方向に回転移動可能に保持している。Ｒ軸は、支柱３３の半径方向（水平方向）である。これらの構成により、移動機構３１は、移動体４を２つの回転方向（ηおよびθ方向）へ移動可能に保持する。
【００３４】
なお、移動機構３１は、把持部３５を含んでいる。把持部３５は、移動体４に設けられ、移動体４と一体的に回転移動するように回転保持部３４に支持されている。また、把持部３５は、移動体４と一体的に移動するように支柱３３に支持されている。つまり、把持部３５は、回転保持部３４を介して支柱３３に保持され、移動体４と一体となって複数方向（Ｘ方向、Ｙ方向、Ｚ方向、η方向、θ方向）に移動する。操作者は、把持部３５を持って力を加えることにより、移動体４を複数方向（Ｘ方向、Ｙ方向、Ｚ方向、η方向、θ方向）に移動させることができる。
【００３５】
また、保持機構３は、操作者による移動体４を移動させるための操作力を検知する力検知部３８を備えている。また、保持機構３は、図５に示すように、移動体４の各方向（Ｘ方向、Ｙ方向、Ｚ方向、η方向、θ方向）の移動を規制するロック機構３６と、移動体４を各方向（Ｘ方向、Ｙ方向、Ｚ方向、η方向、θ方向）に移動させるモータ３７とを備えている。また、保持機構３は、移動体４の各方向（Ｘ方向、Ｙ方向、Ｚ方向、η方向、θ方向）の移動量を検出するエンコーダ３７１を備えている。なお、モータ３７は、特許請求の範囲の「駆動部」の一例である。
【００３６】
図５に示すように、ロック機構３６は、複数方向の各々に対応して設けられ、移動体４の移動をロックする複数の電磁ロック３６１を含む。各電磁ロック３６１は、複数方向の各々における、移動体４の移動を解除可能にロックするように構成されている。
【００３７】
電磁ロック３６１は、Ｘ方向、Ｙ方向、Ｚ方向、η方向、θ方向の複数方向に個別に設けられている。各電磁ロック３６１は、Ｘ方向、Ｙ方向、Ｚ方向、η方向、θ方向の各々のロック／ロック解除を個別に切り替えることが可能である。これにより、ロック機構３６は、複数方向の各々への移動体４の移動を許可する状態（ロック解除状態）と、各方向への移動体４の移動を禁止する状態（ロック状態）とに切り替え可能に構成されている。
【００３８】
モータ３７は、Ｘ方向、Ｙ方向、Ｚ方向、η方向、θ方向の複数方向に個別に設けられている。また、エンコーダ３７１は、Ｘ方向、Ｙ方向、Ｚ方向、η方向、θ方向の複数方向に個別に設けられている。各エンコーダ３７１は、各軸方向における移動体４の位置を検出する。各エンコーダ３７１の出力信号に基づいて、移動体４のＸ線管１の現在位置（Ｘ方向、Ｙ方向、Ｚ方向の各位置、および、η方向、θ方向の各回転角度）を求めることが可能である。
【００３９】
ロック機構３６の動作は、駆動回路３１１を介して、制御部７によって制御される。また、各エンコーダ３７１の出力信号は、駆動回路３１１を介して制御部７に送られ、位置情報として動作制御に用いられる。また、各モータ３７の動作は、駆動回路３１１を介して、制御部７によって制御される。
【００４０】
力検知部３８（図２参照）は、移動体４に加えられた力の方向を検知する。より具体的には、力検知部３８は、把持部３５に加えられた水平および垂直の各並進方向（Ｘ方向、Ｙ方向、Ｚ方向）の力を検知するように構成されている。また、力検知部３８は、把持部３５に加えられた水平軸（Ｒ軸）回りおよび垂直軸（Ｚ軸）回りの各回転方向（θ、η方向）の力を検知するように構成されている。
【００４１】
具体的には、力検知部３８は、把持部３５と回転保持部３４との間に配置されている。力検知部３８は、たとえば、力覚センサを含んでいる。力検知部３８は、制御部７に接続されており、力検知部３８により検知された操作力は信号に変換されて、制御部７に送信される。
【００４２】
ガイド照明３９は、Ｘ線管１によるＸ線の照射範囲を示すガイドを照射する。具体的には、ガイド照明３９は、コリメータ１１により制限されたＸ線管１によるＸ線の照射範囲を光により投影して示すように構成されている。ガイド照明３９は、ＬＥＤ（発光ダイオード）を含んでいる。操作者は、ガイド照明３９のガイドに基づいて、移動体４の位置を調整して、Ｘ線の照射位置を調整する。また、操作者は、ガイド照明３９のガイドに基づいて、コリメータ１１を調整して、Ｘ線の照射範囲を調整する。
【００４３】
図３に示すように、移動体４には、複数の操作ボタン４１が設けられている。また、移動体４には、表示部４２が設けられている。操作ボタン４１は、第１操作ボタン４１１、４１２、４１３と、第２操作ボタン４１６とを含んでいる。また、操作ボタン４１は、回動操作ボタン４１４、４１５を含んでいる。また、操作ボタン４１は、ガイド照明ボタン４１７を含んでいる。
【００４４】
操作ボタン４１は、移動体４の移動のための操作を受け付けるように構成されている。第１操作ボタン４１１、４１２、４１３は、水平方向の２軸および上下方向の１軸のうち、いずれかの１軸の移動のロックを解除するための操作を受け付ける。第１操作ボタン４１１は、水平方向のうちＸ方向の移動体４の移動のロックを解除するための操作を受け付ける。第１操作ボタン４１２は、水平方向のうちＹ方向の移動体４の移動のロックを解除するための操作を受け付ける。第１操作ボタン４１３は、上下方向（Ｚ方向）の移動体４の移動のロックを解除するための操作を受け付ける。また、第２操作ボタン４１６は、水平方向の２軸および上下方向の１軸のうち、２軸以上の移動のロックを解除するための操作を受け付ける。具体的には、第２操作ボタン４１６は、Ｘ方向、Ｙ方向およびＺ方向の移動のロックを解除するための操作を受け付ける。
【００４５】
ガイド照明ボタン４１７は、移動体４の位置合わせのための操作を受け付ける。具体的には、ガイド照明ボタン４１７は、ガイド照明３９のガイドの照射を点灯させるための操作を受け付ける。
【００４６】
制御部７は、移動体４の移動を制御するように構成されている。具体的には、オートポジショニング制御において、制御部７は、移動体４を所定の位置および姿勢に移動させる制御を行うように構成されている。また、パワーアシスト制御において、制御部７は、操作者が手動で移動体４を移動させる際に、移動体４を移動させるパワーアシストを行う制御を行うように構成されている。
【００４７】
制御部７は、パワーアシスト制御では、操作者が手動で移動体４を移動させる操作力を力検知部３８により検知して取得する。そして、制御部７は、取得した操作力を、移動体４の自重、姿勢による影響を補正して、Ｘ方向、Ｙ方向、Ｚ方向の操作力に変換する。そして、制御部７は、変換した操作力に対してアシスト比を乗じたトルクが発生するようにモータ３７を駆動するように制御する。たとえば、制御部７は、（１）式に基づいて、モータ３７をαｆhのアシスト量により駆動する制御を行う。
Ｍａ＝ｆh−Ｆr＋αｆh・・・（１）
ただし、Ｍは、移動体４および移動機構３１を含む移動部分の質量であり、ａは、加速度である。また、ｆhは、操作力であり、Ｆrは、抵抗力である。また、αは、操作力に対するアシスト量の比であるアシスト係数である。Ｍは、たとえば、数百ｋｇである。また、αは、たとえば、２〜１０程度である。つまり、操作力に対して２倍〜１０倍程度の力がアシストされる。
【００４８】
ここで、本実施形態では、制御部７は、移動体４の移動のための操作または移動体４の位置合わせのための操作を受け付ける操作ボタン４１の操作と、移動体４の現在位置および目的位置と、のうち少なくとも１つに基づいて、移動体４を手動で移動させる際のモータ３７によるアシスト量を変更する制御を行うように構成されている。具体的には、制御部７は、力検知部３８により検知された操作力に応じて、移動体４を手動で移動させる際のモータ３７によるアシスト量を調整するとともに、操作ボタン４１の操作と、移動体４の現在位置および目的位置と、のうち少なくとも１つに基づいても、アシスト量を調整する制御を行うように構成されている。
【００４９】
つまり、制御部７は、移動体４を大きく移動させようとしている場合に、移動体４を手動で移動させる際のモータ３７によるアシスト量を大きくするように構成されている。また、制御部７は、移動体４を精度よく移動させようとしている場合に、移動体４を手動で移動させる際のモータ３７によるアシスト量を小さくするように構成されている。
【００５０】
また、制御部７は、第２操作ボタン４１６の操作により２軸以上の移動のロックが解除された場合に、第１操作ボタン４１１、４１２または４１３の操作により１軸の移動のロックが解除された場合よりも、移動体４を手動で移動させる際のモータ３７によるアシスト量を大きくする制御を行うように構成されている。つまり、制御部７は、操作される操作ボタン４１に応じてアシスト量を変更するように構成されている。ここで、通常、移動体４を大きく動かす動作は立位撮影と臥位撮影とを切り替える場合に必要とされる。この場合、まず、３軸同時にロックを解除する第２操作ボタン４１６を操作して所定位置の近くまで移動させる。その後、１軸のみロックを解除する第１操作ボタン４１１、４１２または４１３を操作して所定位置への精密な位置決めをする。したがって、制御部７は、３軸同時にロックを解除する第２操作ボタン４１６が操作された場合は、アシスト量を大きくする。また、制御部７は、１軸のみロックを解除する第１操作ボタン４１１、４１２または４１３が操作された場合は、アシスト量を小さくする。これにより、移動体４を大きく移動させる動作と、細かく移動させる動作との両立が可能になる。なお、一般撮影装置はストレッチャーでの撮影など用途が多岐に渡るため、１軸しか動かさないが大きく動かしたい場合も想定される。ある軸に対してロックを解除するボタンを複数個所に割り当てることが可能であれば、一方のボタンの操作では、アシスト量を大きくし、他方のボタンの操作では、アシスト量を小さくするようにしてもよい。
【００５１】
また、制御部７は、ガイド照明ボタン４１７の操作によりガイド照明３９が点灯された場合に、ガイド照明３９が点灯されていない場合よりも、移動体４を手動で移動させる際のモータ３７によるアシスト量を小さくする制御を行うように構成されている。つまり、所定位置に近付き、撮影部位に対して精密な位置決めを行う際は、Ｘ線照射野を確認するためにガイド照明３９（コリメータランプ）が点灯される。そこで、制御部７は、ガイド照明３９を点灯させる操作が行われた場合に、Ｘ線管１の位置を微調整する場合と判断して、アシスト量を小さくする。
【００５２】
また、制御部７は、操作力に対するアシスト量の比であるアシスト係数を、２段階に切り替えて、アシスト量を変更する制御を行うように構成されている。つまり、制御部７は、アシスト量を小さくする場合、アシスト係数を小さい値に設定し、アシスト量を大きくする場合、アシスト係数を大きい値に設定する。たとえば、アシスト係数が大きい場合は、アシスト係数が小さい場合の２〜３倍程度に設定される。
【００５３】
また、制御部７は、移動体４の現在位置から目的位置までの距離に基づいて、移動体４を手動で移動させる際のモータ３７によるアシスト量を変更する制御を行うように構成されている。具体的には、立位撮影と臥位撮影を切り替える場合に、あらかじめ入力装置８により撮影メニューを選択してから対応するＸ線検出部２に対向する位置まで移動体４（Ｘ線管１）を移動させる。その際に、Ｘ線検出部２とＳＩＤ（焦点受像機間距離）や高さを合わせるため、Ｘ線管１と撮影テーブル５または撮影スタンド６との位置はポテンショメータやエンコーダによって検出可能である。制御部７は、移動体４の現在位置を取得して、選択された撮影メニューで使用するＸ線検出部２とＸ線管１との距離を取得する。そして、制御部７は、移動体４の現在位置から目的位置までの距離に応じてアシスト量を変更する。つまり、制御部７は、距離が大きければアシスト量を大きくし、距離が小さければアシスト量を小さくする。なお、距離の大小をしきい値により判定して、アシスト量をしきい値に基づいて変更してもよい。また、距離が近づくにつれて、徐々にアシスト量を小さくしてもよい。また、一定の距離までは、アシスト量を一定として、一定の距離からさらに距離が近づくにつれて、徐々にアシスト量を小さくしてもよい。また、距離に応じて段階的にアシスト量を小さくしてもよい。
【００５４】
また、制御部７は、目的位置から遠ざかる方向に移動体４に力が加えられた場合に、目的位置に近づく方向に移動体４に力が加えられた場合よりも、移動体４を手動で移動させる際のモータ３７によるアシスト量を小さくする制御を行うように構成されている。これにより、目的位置に吸い込まれていくような操作感にすることが可能である。
【００５５】
（実施形態の効果）
本実施形態では、以下のような効果を得ることができる。
【００５６】
本実施形態では、上記のように、移動体４の移動のための操作または移動体４の位置合わせのための操作を受け付ける操作ボタン４１の操作と、移動体４の現在位置および目的位置と、のうち少なくとも１つに基づいて、移動体４を手動で移動させる際のモータ３７によるアシスト量を変更する制御を行う制御部７を設ける。これにより、操作ボタン４１の操作に基づいて移動体４を手動で移動させる際のモータ３７によるアシスト量を変更させる場合、操作ボタン４１の操作を行うだけでモータ３７によるアシスト量を変更させることができる。また、移動体４の現在位置および目的位置に基づいて移動体４を手動で移動させる際のモータ３７によるアシスト量を変更させる場合、目的位置が現在位置に近づいた場合に、自動的にモータ３７によるアシスト量を変更させることができる。これらの結果、Ｘ線管１を移動可能に支持する移動体４を手動で移動させる際に、モータ３７によるアシスト量を簡単な操作で変更させることができる。
【００５７】
また、本実施形態では、上記のように、制御部７を、力検知部３８により検知された操作力に応じて、移動体４を手動で移動させる際のモータ３７によるアシスト量を調整するとともに、操作ボタン４１の操作と、移動体４の現在位置および目的位置と、のうち少なくとも１つに基づいても、アシスト量を調整する制御を行うように構成する。これにより、検知された操作力に応じてアシスト量を調整することにより、操作者が力を加えた量に応じてアシスト量を大きくすることができるので、移動体４を手動で移動させる際の操作性を向上させることができる。また、操作ボタン４１の操作に基づいてアシスト量を調整することにより、操作ボタン４１の操作を行うだけでアシスト量を容易に変更させることができる。また、移動体４の現在位置および目的位置に基づいてアシスト量を調整することにより、現在位置と目的位置との距離が大きく移動体４を迅速に移動させたい場合に、アシスト量を大きくすることができるとともに、現在位置と目的位置との距離が小さくなり移動体４を精度よく移動させたい場合に、アシスト量を小さくすることができる。
【００５８】
また、本実施形態では、上記のように、制御部７を、第２操作ボタン４１６の操作により２軸以上の移動のロックが解除された場合に、第１操作ボタン４１１、４１２または４１３の操作により１軸の移動のロックが解除された場合よりも、移動体４を手動で移動させる際のモータ３７によるアシスト量を大きくする制御を行うように構成する。これにより、第２操作ボタン４１６の操作により２軸以上の移動のロックが解除されて、移動体４を大きく移動させたい場合に、アシスト量を大きくすることができる。また、２軸以上の移動による調整後、第１操作ボタン４１１、４１２または４１３の操作により１軸の移動のロックが解除されて、移動体４の位置の微調整を行う場合に、アシスト量を小さくすることができる。
【００５９】
また、本実施形態では、上記のように、制御部７を、ガイド照明ボタン４１７の操作によりガイド照明３９が点灯された場合に、ガイド照明３９が点灯されていない場合よりも、移動体４を手動で移動させる際のモータ３７によるアシスト量を小さくする制御を行うように構成する。これにより、ガイド照明ボタン４１７の操作によりガイド照明３９が点灯されて、移動体４の位置の微調整を行う場合に、アシスト量を小さくすることができるので、移動体４を容易かつ精度よく移動させて微調整を行うことができる。
【００６０】
また、本実施形態では、上記のように、制御部７を、操作力に対するアシスト量の比であるアシスト係数を、２段階に切り替えて、アシスト量を変更する制御を行うように構成する。これにより、２段階のアシスト比によりアシスト量を変更させることができるので、３段階以上に切り替える場合に比べて、制御部７の処理負担を軽減することができる。
【００６１】
また、本実施形態では、上記のように、制御部７を、移動体４の現在位置から目的位置までの距離に基づいて、移動体４を手動で移動させる際のモータ３７によるアシスト量を変更する制御を行うように構成する。これにより、移動体４の目的位置までの距離に基づいてアシスト量を変更することにより、現在位置と目的位置との距離が大きく移動体４を迅速に移動させたい場合に、アシスト量を大きくすることができるとともに、現在位置と目的位置との距離が小さくなり移動体４を精度よく移動させたい場合に、アシスト量を小さくすることができる。これにより、移動体４を目的位置にスムーズに移動させることができる。
【００６２】
また、本実施形態では、上記のように、制御部７を、目的位置から遠ざかる方向に移動体４に力が加えられた場合に、目的位置に近づく方向に移動体４に力が加えられた場合よりも、移動体４を手動で移動させる際のモータ３７によるアシスト量を小さくする制御を行うように構成する。これにより、目的位置から遠ざかる方向への移動体４の移動を重くすることができるとともに、目的位置に近づく方向への移動体４の移動を軽くすることができるので、移動体４を目的位置に向けて誘導することができる。
【００６３】
（変形例）
今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６４】
たとえば、上記実施形態では、天井懸垂型のＸ線撮影装置（天井懸垂型の保持機構）の例を示したが、本発明はこれに限られない。本発明では、天井懸垂型以外の構成であってもよい。たとえば、床上走行型のＸ線撮影装置に本発明を適用してもよい。また、Ｃアーム式のＸ線撮影装置に本発明を適用してもよいし、近接透視台に本発明を適用してもよい。また、車輪を備えたカート型のＸ線撮影装置に本発明を適用してもよい。
【００６５】
また、上記実施形態では、移動体がＸ線管（Ｘ線照射部）を移動可能に支持する構成の例を示したが、本発明はこれに限られない。本発明では、移動体がＸ線照射部およびＸ線検出部の両方を移動可能に支持してもよいし、移動体がＸ線検出部を移動可能に支持してもよい。
【００６６】
また、上記実施形態では、移動機構が、５軸方向（Ｘ方向、Ｙ方向、Ｚ方向、η方向、θ方向）の複数方向に移動体を移動可能に保持する構成の例を示したが、本発明はこれに限られない。本発明では、移動機構が５方向以外の方向に移動体を移動可能であってもよい。
【００６７】
また、上記実施形態では、第２操作ボタンは、Ｘ軸、Ｙ軸、Ｚ軸の３軸のロックを解除するための操作を受け付ける構成の例を示したが、本発明はこれに限られない。本発明では、第２操作ボタンは、水平方向の２軸および上下方向の１軸のうち、２軸以上の移動のロックを解除するための操作を受け付けてもよい。
【００６８】
また、上記実施形態では、制御部が撮影室の外部に配置されている例を示したが、本発明はこれに限られない。制御部は、撮影室の内部に配置されてよいし、移動体や移動機構に内蔵されていてもよい。
【００６９】
また、上記実施形態では、説明の便宜上、本発明の制御部の処理を処理フローに沿って順番に処理を行うフロー駆動型のフローチャートを用いて説明したが、本発明はこれに限られない。本発明では、処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７０】
１  Ｘ線管（Ｘ線照射部）
２  Ｘ線検出部
４  移動体
７  制御部
３７  モータ（駆動部）
３８  力検知部
３９  ガイド照明
４１  操作ボタン
１００  Ｘ線撮影装置
１２０  被検体
４１１、４１２、４１３  第１操作ボタン
４１６  第２操作ボタン
４１７  ガイド照明ボタン
【図１】
2020103335.tif 000003
【図２】
2020103335.tif 000004
【図３】
2020103335.tif 000005
【図４】
2020103335.tif 000006
【図５】
2020103335.tif 000007